(57)【特許請求の範囲】
【請求項１】
移動通信システムにおける端末による方法であって、
基地局からグループに対するレンジング状態が含まれたレンジング応答メッセージを受信するステップと、
前記グループに対するレンジング状態が成功であると、前記基地局にレンジングコードを送信するステップと、を含み
前記レンジング応答メッセージは、前記グループのグループ代表(group delegate)端末によって送信されたレンジングコードに対する前記レンジング状態を含むことを特徴とする方法。
【請求項２】
前記端末は、ネットワークにアクセスすることができるように、予め定められた時間の間、前記レンジング応答メッセージの受信を待機することを特徴とする請求項１に記載の方法。
【請求項３】
前記基地局にレンジングコードを送信するステップは、前記端末に対する前記レンジングコードを前記基地局に送信することにより、ネットワーク再進入手順を開始するステップを含むことを特徴とする請求項１に記載の方法。
【請求項４】
前記グループに対するレンジング状態が中止(abort)である場合、レンジング中止タイマー(ranging abort timer)を開始させ、前記レンジング中止タイマーが満了するまでレンジング手順を中止するステップをさらに含むことを特徴とする請求項１に記載の方法。
【請求項５】
前記グループに対するレンジング状態が継続(continue)である場合、前記グループ代表端末は、前記グループ代表端末によって送信されたレンジングコードのパラメータを調整し、前記調整されたパラメータが含まれたレンジングコードを基地局に送信するステップをさらに含むことを特徴とする請求項１に記載の方法。
【請求項６】
前記グループ代表端末は、前記グループに含まれた複数の端末のうちランダム(random)に選択されることを特徴とする請求項１に記載の方法。
【請求項７】
前記グループに対するレンジング状態が前記成功である場合、前記グループ代表端末が変更されることを特徴とする請求項１に記載の方法。
【請求項８】
前記グループに対するレンジング状態が前記中止である場合、前記グループ代表端末が変更されないことを特徴とする請求項４に記載の方法。
【請求項９】
前記グループに対するレンジング状態が前記継続である場合、前記グループ代表端末が変更されないことを特徴とする請求項５に記載の方法。
【請求項１０】
前記グループ代表端末によって送信されたレンジングコードは応用のための追加レンジングコードと直交し、前記追加レンジングコードは、循環シフト関数を有するZadoff-Chuシーケンスから生成されることを特徴とする請求項１に記載の方法。
【請求項１１】
前記グループ代表端末によって送信されたレンジングコードと前記追加レンジングコードが一つのフレームで構成されるレンジング機会(ranging opportunity)は４回であることを特徴とする請求項１０に記載の方法。
【請求項１２】
前記グループ代表端末によって送信されたレンジングコードと前記追加レンジングコードが一つのフレームで構成されるレンジング機会(ranging opportunity)は１回であることを特徴とする請求項１０に記載の方法。
【請求項１３】
前記グループ代表端末によって送信されたレンジングコードと前記追加レンジングコードが一つのフレームで構成されるレンジング機会(ranging opportunity)は２回であることを特徴とする請求項１０に記載の方法。
【請求項１４】
前記グループ代表端末によって送信されたレンジングコードは、前記グループに対する代表レンジングコードであることを特徴とする請求項１に記載の方法。
【請求項１５】
移動通信システムにおける基地局による方法であって、
グループ代表端末からグループに対するレンジングコードを受信するステップと、
前記グループに対するレンジング状態が含まれたレンジング応答メッセージを前記グループに含まれた複数の端末に送信するステップと、を含み、
前記グループに対するレンジング状態が成功(success)である場合、前記複数の端末のそれぞれから各端末に対するレンジングコードを受信することを特徴とする方法。
【請求項１６】
前記グループに対するレンジング状態が継続である場合、前記グループ代表端末から前記グループに対するレンジングコードのパラメータが調整されたレンジングコードを受信するステップをさらに含むことを特徴とする請求項１５に記載の方法。
【請求項１７】
前記グループ代表端末は、前記複数の端末のうちランダム(random)に選択されることを特徴とする請求項１５に記載の方法。
【請求項１８】
前記グループに対するレンジング状態が前記成功である場合、前記グループ代表端末が変更されることを特徴とする請求項１５に記載の方法。
【請求項１９】
前記グループに対するレンジング状態が中止または継続である場合、前記グループ代表端末が変更されないことを特徴とする請求項１５に記載の方法。
【請求項２０】
前記グループに対するレンジングコードは応用のための追加レンジングコードと直交し、前記追加レンジングコードは、循環シフト関数を有するZadoff-Chuシーケンスから生成されることを特徴とする請求項１５に記載の方法。
【請求項２１】
前記グループに対するレンジングコードと前記追加レンジングコードが一つのフレームで構成されるレンジング機会(ranging opportunity)は４回であることを特徴とする請求項２０に記載の方法。
【請求項２２】
前記グループに対するレンジングコードと前記追加レンジングコードが一つのフレームで構成されるレンジング機会(ranging opportunity)は１回であることを特徴とする請求項２０に記載の方法。
【請求項２３】
前記グループに対するレンジングコードと前記追加レンジングコードが一つのフレームで構成されるレンジング機会(ranging opportunity)は２回であることを特徴とする請求項２０に記載の方法。
【請求項２４】
前記グループに対するレンジングコードは、前記グループに対する代表レンジングコードであることを特徴とする請求項１５に記載の方法。
【請求項２５】
移動通信システムの端末における装置であって、
基地局からグループに対するレンジング状態が含まれたレンジング応答メッセージを受信する受信部と、
前記グループに対するレンジング状態が成功である場合、前記基地局にレンジングコードを送信する送信部と、を含み、
前記レンジング応答メッセージは、前記グループのグループ代表端末によって送信されたレンジングコードに対する前記レンジング状態を含むことを特徴とする装置。
【請求項２６】
前記端末は、ネットワークにアクセスすることができるように、予め定められた時間の間、前記レンジング応答メッセージの受信を待機することを特徴とする請求項２５に記載の装置。
【請求項２７】
前記グループに対するレンジング状態が成功(success)である場合、前記送信部は、ネットワーク進入手順を開始するように前記端末に対するレンジングコードを前記基地局に送信することを特徴とする請求項２５に記載の装置。
【請求項２８】
前記グループに対するレンジング状態が中止(abort)である場合、制御部は、前記端末がレンジング中止タイマー(ranging abort timer)を開始させ、前記レンジング中止タイマーが満了するまでレンジング手順を中止するように制御することを特徴とする請求項２５に記載の装置。
【請求項２９】
前記グループに対するレンジング状態が継続(continue)である場合、制御部は、前記グループ代表端末によって送信されたレンジングコードのパラメータを調整し、前記調整されたパラメータが含まれたレンジングコードを基地局に送信するように制御することを特徴とする請求項２５に記載の装置。
【請求項３０】
前記グループ代表端末は、前記グループに含まれた複数の端末のうちランダム(random)に選択されることを特徴とする請求項２５に記載の装置。
【請求項３１】
制御部は、前記グループに対するレンジング状態が前記成功である場合、前記グループ代表端末を変更することを特徴とする請求項２５に記載の装置。
【請求項３２】
前記制御部は、前記グループに対するレンジング状態が前記中止である場合、前記グループ代表端末を変更しないことを特徴とする請求項２８に記載の装置。
【請求項３３】
前記制御部は、前記グループに対するレンジング状態が前記継続である場合、前記グループ代表端末を変更しないことを特徴とする請求項２９に記載の装置。
【請求項３４】
前記グループ代表端末によって送信されたレンジングコードは応用のための追加レンジングコードと直交し、前記追加レンジングコードは、循環シフト関数を有するZadoff-Chuシーケンスから生成されることを特徴とする請求項２５に記載の装置。
【請求項３５】
前記グループ代表端末によって送信されたレンジングコードと前記追加レンジングコードが一つのフレームで構成されるレンジング機会(ranging opportunity)は４回であることを特徴とする請求項３４に記載の装置。
【請求項３６】
前記グループ代表端末によって送信されたレンジングコードと前記追加レンジングコードが一つのフレームで構成されるレンジング機会(ranging opportunity)は１回であることを特徴とする請求項３４に記載の装置。
【請求項３７】
前記グループ代表端末によって送信されたレンジングコードと前記追加レンジングコードが一つのフレームで構成されるレンジング機会(ranging opportunity)は２回であることを特徴とする請求項３４に記載の装置。
【請求項３８】
前記グループ代表端末によって送信されたレンジングコードは前記グループに対する代表レンジングコードであることを特徴とする請求項２５に記載の装置。
【請求項３９】
移動通信システムにおける基地局の装置であって、
グループ代表端末からグループに対するレンジングコードを受信する受信部と、
前記グループに対するレンジング状態が含まれたレンジング応答メッセージを前記グループに含まれた複数の端末に送信する送信部と、を含み、
前記グループに対するレンジング状態が成功である場合、前記複数の端末のそれぞれから各端末に対するレンジングコードを受信することを特徴とする装置。
【請求項４０】
前記グループに対するレンジング状態が継続である場合、前記受信部は、前記グループ代表端末から前記グループに対するレンジングコードのパラメータが調整されたレンジングコードを受信することを特徴とする請求項３９に記載の装置。
【請求項４１】
前記グループ代表端末は、前記複数の端末のうちランダム(random)に選択されることを特徴とする請求項３９に記載の装置。
【請求項４２】
前記グループに対するレンジング状態が前記成功である場合、前記グループ代表端末が変更されることを特徴とする請求項３９に記載の装置。
【請求項４３】
前記グループに対するレンジング状態が中止または継続である場合、前記グループ代表端末が変更されないことを特徴とする請求項３９に記載の装置。
【請求項４４】
前記グループに対するレンジングコードは応用のための追加レンジングコードと直交し、前記追加レンジングコードは、循環シフト関数を有するZadoff-Chuシーケンスから生成されることを特徴とする請求項３９に記載の装置。
【請求項４５】
前記グループに対するレンジングコードと前記追加レンジングコードが一つのフレームで構成されるレンジング機会(ranging opportunity)は４回であることを特徴とする請求項４４に記載の装置。
【請求項４６】
前記グループに対するレンジングコードと前記追加レンジングコードが一つのフレームで構成されるレンジング機会(ranging opportunity)は１回であることを特徴とする請求項４４に記載の装置。
【請求項４７】
前記グループに対するレンジングコードと前記追加レンジングコードが一つのフレームで構成されるレンジング機会(ranging opportunity)は２回であることを特徴とする請求項４４に記載の装置。
【請求項４８】
前記グループに対するレンジングコードは前記グループに対する代表レンジングコードであることを特徴とする請求項３９に記載の装置。
【請求項４９】
移動通信システムにおける複数の端末を含むグループのグループ代表端末による方法であって、
グループＩＤに基づいてレンジングコードセットからレンジングコードを選択するステップと、
基地局に前記レンジングコードを送信するステップと、
前記基地局からグループに対するレンジング状態を含むレンジング応答メッセージを受信するステップと、
前記グループに対するレンジング状態が成功(success)である場合、前記基地局に前記グループ代表端末に対するレンジングコードを送信するステップと、を含むことを特徴とする方法。
【請求項５０】
移動通信システムにおける複数の端末を含むグループのグループ代表端末による装置であって、
グループＩＤに基づいてレンジングコードセットからレンジングコードを選択する制御部と、
基地局に前記レンジングコードを送信する送信部と、
前記基地局からグループに対するレンジング状態を含むレンジング応答メッセージを受信する受信部と、を含み、
前記送信部は、前記グループに対するレンジング状態が成功(success)である場合、前記基地局に前記グループ代表端末に対するレンジングコードを送信することを特徴とする装置。
【発明の詳細な説明】
【技術分野】
【０００１】
本発明は、移動通信システムに関し、特に移動通信システムにおけるネットワーク再進入方法及び装置に関する。
【背景技術】
【０００２】
従来の端末(Mobile Station:ＭＳ)は、ネットワークにアクセスするために図１に示された方法で動作する。ここで、上記ネットワークへのアクセスは、ネットワークに再進入することを意味する。
【０００３】
図１は、従来の移動通信システムで、ＭＳがネットワークにアクセスするためのＭＳと基地局(Base Station:ＢＳ)との間の動作を示す。
【０００４】
図１を参照すると、ステップ１０１で、ＭＳはダウンリンク同期化を遂行する。ステップ１０２で、ＭＳはＢＳからシステム情報を獲得する。ここで、上記システム情報は、アクセスコード(access codes)とアクセス機会情報(access opportunity information)を含む。
ステップ１０３で、ＭＳはバックオフ(backoff)処理を遂行した後にネットワークにアクセスする。
ステップ１０４で、ＭＳはレージング(ranging)機会に含まれるＢＳに初期基準コード(Initial Reference Code:ＩＲＣ)を送信する。ここで、ＭＳが利用可能なレージング機会がない場合、例えば、アクセス動作が満了するか、アクセス動作の回数が臨界値を超過した場合、ステップ１０４が持続されるか、失敗によってアクセス動作が終了され、これは実際適用(practical applications)によって決定される。
ステップ１０５で、ＭＳはＢＳからＲＮＧ−ＡＣＫ(Ranging-Acknowledgement)メッセージまたはＡＡＩ_ＲＮＧ−ＡＣＫ(Advanced Air Interface_Ranging- Acknowledgement)メッセージを受信し、該当ＲＮＧ−ＡＣＫメッセージは検出されたＩＲＣに対するＢＳの応答を含む。
ステップ１０６で、ＢＳはＭＳにＲＮＧ−ＲＥＱ(Ranging-Request)リソースを割り当てるために、ＣＤＭＡ(Code Division Multiple Access)割り当てＡ−ＭＡＰ ＩＥ(Information Element)メッセージをＭＳに送信する。
ステップ１０７で、ＭＳは、該当ＣＤＭＡ割り当てＡ−ＭＡＰ ＩＥメッセージを受信した後、ＢＳにＭＳのＩＤ(Identifier)を含む情報を知らせるために、ＢＳにＲＮＧ−ＲＥＱメッセージを送信し、ネットワークに継続アクセスする。
ステップ１０８で、ＢＳはＭＳにＲＮＧ−ＲＳＰ(Ranging-Response)メッセージを送信し、ＭＳに臨時ＳＴＩＤ(Station Identifier)を割り当てる。
ステップ１０９で、ＭＳはＲＮＧ−ＲＳＰメッセージを受信した後、ＢＳとＭＳが性能(capability)交渉を遂行し、ＢＳにＲＥＱ−ＲＥＱ(Registration-Request)メッセージを送信し、ＢＳがＳＴＩＤを含むＲＥＱ−ＲＳＰ(Registration-Response)メッセージをＭＳに送信する。
【０００５】
このように、ステップ１０１乃至ステップ１０９を通じてＭＳがネットワークにアクセスする動作が完了する。
【０００６】
また、ＭＳはネットワークにアクセスするために、次の順序で動作することができる。
まず、ＭＳがシステム情報を獲得する。そしてＭＳがレージング機会にＩＲＣをＢＳに送信する。
以後、ＭＳはＢＳからＲＮＧ−ＡＣＫメッセージまたはＣＤＭＡ割り当てＡ−ＭＡＰ ＩＥメッセージを受信し、該当ＲＮＧ−ＡＣＫメッセージまたはＣＤＭＡ割り当てＡ−ＭＡＰ ＩＥメッセージは検出されたＩＲＣに対するＢＳの応答を含む。ここで、受信例(receiving instances)に従って、ＭＳはシステム情報を獲得するか、実際適用に応じて決定され得る多様な要因のためにアクセス動作を終了させることもできる。例えば、ＭＳが送信したＩＲＣに対する応答をＭＳが受信せず、利用可能なレージング機会を有しない場合、上記アクセス動作が満了するか、アクセス動作の回数が臨界値を超過するか、またはＭＳが受信した応答が“中止(abort)”を示す場合である。受信例に従って、ＭＳはＢＳにＩＲＣを送信することもあるが、例えば、ＭＳが送信したＩＲＣに対する応答をＭＳが受信せず、利用可能なレージング機会を有する場合、またはＭＳが受信した応答が“継続”を示す場合である。上記応答が“中止”を示す場合、ＢＳはＭＳに対してタイマーを構成することもでき、タイマーがタイムアウト(time out)されると、ＭＳがネットワークに再度アクセスすることもできる。
【０００７】
ＭＳがＩＲＣをＢＳに送信する時、ＭＳはバックオフ(backoff)ウィンドウによってレージング機会とＩＲＣを無作為で選択する必要がある。
【０００８】
最後に、ＭＳが“成功”を示すＲＮＧ−ＡＣＫメッセージ及び／またはＣＤＭＡ割り当てＡ−ＭＡＰ ＩＥメッセージを受信した後、ネットワークに継続アクセスし、ＭＳのＩＤを含む情報をＢＳに知らせるためにＢＳにＲＮＧ−ＲＥＱメッセージを送信する。
【０００９】
上記から分かるように、従来、ＭＳがネットワークにアクセスする動作は、単一ＭＳに適用可能である。また従来のＭＳはネットワークにアクセスするとき、まずＩＲＣを獲得する必要があり、ＩＲＣはＭＳがネットワークにアクセスするときに無作為で選択され、利用可能なＩＲＣの個数は限定されている。したがって、従来端末のネットワークアクセス方法では、衝突が発生することがある。すなわち、２個以上のＭＳが偶然に同一のＩＲＣを選択した場合、同一のＩＲＣを送信したＭＳのうちの一部がネットワークに成功的にアクセスできないか、同一のＩＲＣを送信したＭＳがネットワークに成功的にアクセスできなくなる。特に、機械対機械(Machine to Machine：Ｍ２Ｍ)技術の発達により、多くのＭＳが同時にネットワークにアクセスすることもでき、これは衝突の可能性を増加させ、結局、一部のＭＳはネットワークに成功的にアクセスできなくなる。
【発明の概要】
【発明が解決しようとする課題】
【００１０】
本発明の目的は、少なくとも上述した問題点及び／又は不都合に取り組み、少なくとも以下の便宜を提供することにある。すなわち、本発明の目的は、移動通信システムにおける複数のＭＳがネットワークにアクセスすることができるようにするネットワークアクセス方法及び装置を提供することにある。
【課題を解決するための手段】
【００１１】
上記のような目的を達成するために、本発明の実施形態の一態様によれば、移動通信システムにおけるネットワーク再進入(network reentry)方法を提供する。上記方法は、グループに含まれている端末のうち、グループ代表(group delegate)端末がグループＩＤ(Identifier：ＩＤ)に基づくレージングコード(Ranging code)を基地局に送信するステップと、上記端末は、上記基地局から上記グループに対するレージング状態(ranging status for the group)が含まれたレージング応答メッセージを受信するステップと、を含むことを特徴とする。
【００１２】
本発明の実施形態の他の態様によれば、移動通信システムの基地局におけるネットワーク再進入(network reentry)方法を提供する。上記方法は、グループに含まれている端末のうち、グループ代表(group delegate)端末に専用レージングコード(dedicated Ranging code)を割り当てるステップと、上記グループ代表端末から上記専用レージングコードによって生成されたグループＩＤ(Identifier：ＩＤ)に基づくレージングコードを受信するステップと、上記グループに対するレージング状態が含まれたレージング応答メッセージを上記端末に送信するステップと、を含むことを特徴とする。
本発明の実施形態のさらに他の態様によれば、移動通信システムにおけるネットワーク再進入(network reentry)装置を提供する。上記装置は、グループに含まれている端末のうち、グループ代表(group delegate)端末がグループＩＤ(Identifier：ＩＤ)に基づくレージングコード(Ranging code)を決定する制御部と、上記グループ代表端末が上記グループＩＤに基づくレージングコードを基地局に送信する送信部と、上記端末は上記基地局から上記グループに対するレージング状態が含まれたレージング応答メッセージを受信する受信部と、を含むことを特徴とする。
【００１３】
本発明の実施形態の他の態様によれば、移動通信システムの基地局におけるネットワーク再進入(network reentry)装置を提供する。上記装置は、グループに含まれている端末のうち、グループ代表(group delegate)端末に専用レージングコード(dedicated Ranging code)を割り当てる制御部と、上記グループ代表端末から上記専用レージングコードによって生成されたグループＩＤ(Identifier：ＩＤ)に基づくレージングコードを受信する受信部と、上記グループに対するレージング状態が含まれたレージング応答メッセージを上記端末に送信する送信部と、を含むことを特徴とする。
【発明の効果】
【００１４】
本発明で、ＭＳはグループに分割されたので、すなわち一定時間にＩＲＣを送信するＭＳの数が相対的に減少されるので、ＭＳがネットワークにアクセスするに発生する衝突が減少されることができる。
また、本発明ではネットワークにアクセスするように許可されたグループのＭＳに相異なるＩＲＣを割り当てることができ、各ＭＳが相異なるＩＲＣを利用してネットワークにアクセスすることを要請できるので、ＭＳがネットワークにアクセスするときに発生する衝突を避けることができる。
一方、その他の多様な効果は後述する本発明の実施形態による詳細な説明で直接的または暗示的に開示されるはずである。
【図面の簡単な説明】
【００１５】
【図１】従来の移動通信システムで、ＭＳがネットワークにアクセスするためのＭＳとＢＳ間の動作を示した図である。
【図２】本発明の第１の実施形態による移動通信システムで、ＭＳがネットワークにアクセスするためのＭＳとＢＳ間の動作を示した図である。
【図３】本発明の第２の実施形態による移動通信システムで、ＭＳがネットワークにアクセスするためのＭＳとＢＳ間の動作を示した図である。
【図４】本発明の実施形態で、ＭＳとＢＳ間の通信を通じてグループ代表を選択する方法を示した図である。
【発明を実施するための形態】
【００１６】
図２乃至図４を参照した下記の説明は、特許請求の範囲の記載及びこれと均等なものの範囲内で定められるような本発明の実施形態の包括的な理解を助けるために提供するものであり、この理解を助けるために様々な特定の詳細を含むが、単なる一つの実施形態に過ぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１７】
まず、本発明の実施形態を説明する前に、グループ、グループ代表及びグループメンバーの概念を説明する。
【００１８】
上記グループは、一つまたはいくつかの共通的な特性を有するＭＳで構成されたユニットであり、上記一つまたはいくつかの共通的な特性は、同一または類似のサービス、同一または類似の報告周期でもあり、同じ加入者に属することもでき、隣接の地理学的位置などであり得る。
【００１９】
上記グループ代表は、特定の機能を実行するための上記グループの、全ての、または特定な部分のＭＳを代表できる特定のＭＳである。一つのグループには一つまたはその以上のグループ代表があってもよく、上記グループ代表はグループ内のいずれか一つのＭＳでもある。
【００２０】
上記グループメンバーは、グループでグループ代表を除外した残りのＭＳである。
【００２１】
本発明の実施形態が具現される時、特定またはいくつかの共通的属性によって予めＭＳをグループで分ける必要があり、これは従来方式によって遂行されることができる。
【００２２】
また、一定期間にネットワークにアクセスするＭＳの数を減少させるためには、ＭＳがネットワークにアクセスする期間が時間セグメントで分割され、限定された数のＭＳが特定の時間セグメントでネットワークにアクセスすることによって、衝突を減らすことができる。
【００２３】
上記のように移動通信システムで、ＭＳがネットワークにアクセスするために、本発明の実施形態で、ＭＳとＢＳ間には、次のような動作が遂行される。ここで、ＭＳは予めグループで分割されており、各グループに対するグループ代表が選択されている場合の動作に対して説明する。そして上記グループ代表を選択する方法は各実施形態の詳細において説明する。
【００２４】
まず、本発明の第１の実施形態で、ＭＳはＢＳが送信したメッセージや先構成(pre-configuration)に従って自身のグループを知るようになる。各グループのＭＳは、ＢＳが送信したメッセージによってグループのＧＤＣ(Group Delegate Code)を決定する。上記グループ代表は、上記グループのＧＤＣをレージング機会のＢＳに送信する。上記グループの各ＭＳは、ＢＳからＲＮＧ−ＡＣＫメッセージ及び／またはグループアクセスリソース割り当てメッセージを受信する。ＢＳが放送したバックオフ情報を受信してバックオフ処理を遂行した後、上記グループでネットワークのアクセスを許可したメッセージを受信したＭＳは、無作為で選択されたＩＲＣを上記レージング機会のＢＳに送信する。
【００２５】
そしてＩＲＣを送信したＭＳがＢＳからＲＮＧ−ＡＣＫメッセージ及び／またはＣＤＭＡ割り当てＡ−ＭＡＰ ＩＥメッセージを受信し、該当ＲＮＧ−ＡＣＫメッセージ及び／またはＣＤＭＡ割り当てＡ−ＭＡＰ ＩＥメッセージは、ＩＲＣを送信したＭＳに対する応答を含む。該当ＲＮＧ−ＡＣＫメッセージ及び／またはＣＤＭＡ割り当てＡ−ＭＡＰ ＩＥメッセージを受信した後、ＭＳがＢＳにＲＮＧ−ＲＥＱメッセージを送信し、上記ネットワークにアクセスする。
【００２６】
本発明の第２の実施形態によるＭＳは、ＢＳが送信したメッセージや先構成に従って自身のグループを知るようになる。各グループのＭＳは、ＢＳが送信したメッセージによってグループのＧＤＣを決定する。上記グループ代表は、上記グループのＧＤＣをレージング機会のＢＳに送信する。上記グループの各ＭＳは、ＢＳからＲＮＧ−ＡＣＫメッセージを受信する。上記グループでネットワークのアクセスを許可したメッセージを受信したＭＳは、上記レージング機会のＢＳに予め割り当てられたＩＲＣを送信する。
【００２７】
そしてＩＲＣを送信したＭＳがＢＳからＲＮＧ−ＡＣＫメッセージ及び／またはＣＤＭＡ割り当てＡ−ＭＡＰ ＩＥメッセージを受信し、該当ＲＮＧ−ＡＣＫメッセージ及び／またはＣＤＭＡ割り当てＡ−ＭＡＰ ＩＥメッセージは、ＩＲＣを送信したＭＳに対する応答を含む。該当ＲＮＧ−ＡＣＫメッセージ及び／またはＣＤＭＡ割り当てＡ−ＭＡＰ ＩＥメッセージを受信した後、ＭＳがＢＳにＲＮＧ−ＲＥＱメッセージを送信し、上記ネットワークにアクセスする。
【００２８】
本発明の目的、技術的解決策及び長所をより一層明確にするために、以下、図２及び図３を参照して、本発明の第１及び第２の実施形態に対して詳細に説明する。
【００２９】
図２は、本発明の第１の実施形態による移動通信システムで、ＭＳがネットワークにアクセスするためのＭＳとＢＳ間の動作を示す。ここで、図示しないが、ＭＳとＢＳの各々は、少なくとも送信部、受信部及び制御部を含み、送信部及び受信部は、該当メッセージを送受信し、制御部は、本発明の第１の実施形態による全ての動作を制御する。
【００３０】
図２を参照すると、ステップ２０１で、一つのグループのＭＳは、ＢＳが送信したメッセージに従って上記グループのＧＤＣと該当リソースを決定する。ここで、ＧＤＣをグループアクセスコード、グループ初期基準コード(ＧＩＲＣ:Group Initial Reference Code)またはレージングコードと称することもできる。ＧＤＣは、一つまたはそれ以上のコードであり得る。ＧＤＣは、従来のＩＲＣのコードであるか、上記システムがＭＳに再割り当てしたコードでもある。
【００３１】
各グループは、初期ＧＤＣに対応することができ、グループＩＤに基づく初期ＧＤＣは、次の＜数式１＞に従って獲得されることができる。
【００３２】
【数１】
0005960727.tif 000002
【００３３】
ここで、ＩＤＭ２Ｍ GroupはグループＩＤであり、ＮＭ２Ｍ groupはＧＤＣの個数であり、mod()は獲得係数(modulus)を示す。
【００３４】
一つのフレームが複数の任意アクセス機会を含む場合、各グループは、次の＜数式２＞に従って任意アクセス機会を選択する。
【００３５】
【数２】
0005960727.tif 000003
【００３６】
ここで、ＮOppは任意アクセス機会の数であり、floor()は任意アクセス機会の数より大きくない整数を取る。
グループのＧＤＣとＭ２Ｍ追加初期レージングコードは、レージングコードが任意アクセス機会に送信され、完全に利用される必要があるので、ＧＤＣと直交しなければならない。このためにコード動的分割(partitioning)方法を利用することができる。上記コード動的分割方法により、２種類のコードの間の直交交差を保障することができ、コードリソースを完全に利用することができ、相異なる種類のコードによって相異なるＭＳのアクセス動機を確認することができる。詳細に、コード動的分割方法には、下記の二つのコード動作分割方法がある。
１．循環シフト関数を有するZadoff-ChuシーケンスがＧＤＣを発生するために利用されると、Zadoff-Chuシーケンスは、次の＜数式３＞のように定義することができる。
【００３７】
【数３】
0005960727.tif 000004
【００３８】
ここで、ｋ＝０、１、…、ＮＲＰ−１であり、ｐはＧＤＣのシーケンス番号である。そしてｒｐは、次の＜数式４＞のように定義することができる。
【００３９】
【数４】
0005960727.tif 000005
【００４０】
ここで、ｐ＝０、１、２・・・Ｎcont-1、Ｎcont＋Ｎdedi、・・・、Ｎcont＋Ｎdedi＋ＮＭ２Ｍ group＋ＮＭ２Ｍ Add−１であり、sｐ＝mod(ｐ,Ｍns)である。そしてrns0は、Ｓ−ＳＦＨ(Secondary-Super Frame Header)で放送され、ＭnsはZadoff-Chuシーケンスのルートに対する循環シフト回数を示し、Ｎcontは一般任意アクセスのための初期レージングコード(ＭＩＮ)とハンドオーバレージングコード(ＮＨＯ)の和を示し、Ｎdediは専用レージングコードであり、ＮＭ２Ｍ groupはＧＤＣであり、ＮＭ２Ｍ AddはＭ２Ｍ応用のために新しく追加された初期レージングコードである。２種類のコードの間には交点(intersection)がない。より詳細に、Ｎcontは各セクターで一般任意アクセスのための初期レージングコード(ＭＩＮ)の数(０〜ＭＩＮ−１)とハンドオーバレージングコードの数(ＭＩＮ〜ＭＩＮ＋ＮＨＯ−１)の和であり、Ｎdediは(Ｎcont〜Ｎcont＋Ｎdedi−１)で表現され、多くとも３２個の専用レージングコードを含む専用レージングコードであり、ＮＭ２Ｍ groupは各セクターによりＭ２Ｍグループに割り当てられるＧＤＣであり、これは(Ｎcont＋Ｎdedi〜Ｎcont＋Ｎdedi＋ＮＭ２Ｍ group−１)で表現され、多くとも３２個のＧＤＣを含み、ＮＭ２Ｍ addはＭ２Ｍ応用のために新しく追加された初期レージングコードであり、(Ｎcont＋Ｎdedi＋ＮＭ２Ｍ group〜Ｎcont＋Ｎdedi＋ＮＭ２Ｍ group＋ＮＭ２Ｍ add−１)で表現され、多くとも３２個の追加レージングコードを含む。Ｍ２Ｍ ＭＳは初期アクセスを遂行するために一般任意アクセスのための初期レージングコード(ＭＩＮ)とＮＭ２Ｍ addからレージングコードを無作為で選択することができる。ＮＣＳは循環シフトのユニットであり、ＮＲＰはレージングコードの長さである。
【００４１】
上記の内容は単なる一例であり、レージングコードの割り当ては、順に(in a sequence)遂行できるが、Ｍ２ＭグループのＧＤＣを割り当て、Ｍ２Ｍ追加コードを割り当てる順序は重要でなく、Ｍ２Ｍ追加コードがまず割り当てられた後、Ｍ２ＭグループのＧＤＣが割り当てられることもできる。
【００４２】
下記の＜表１＞は、Ｍ２ＭグループのＧＤＣとＭ２Ｍ追加コードを割り当てる表であり、＜表１＞のサブセットまたは類推は、実際適用で利用されることができる。
【００４３】
【表１】
0005960727.tif 000006
【００４４】
上記専用レージングコードと定期(regular)コードは、相異なるレージングリソースで送信されるので、上記専用レージングコードの割り当ては、考慮されないこともあるが、一般任意アクセスのための初期レージングコード(ＭＩＮ)と上記ハンドオーバレージングコード(ＮＨＯ)が考慮される。ＮＭ２Ｍ groupは、各セクターによりＭ２Ｍグループに割り当てられたＧＤＣであり、(Ｎcont〜Ｎcont＋ＮＭ２Ｍ group−１)で表現され、ＮＭ２Ｍ addはＭ２Ｍ応用のために新しく追加されたレージングコードであり、(Ｎcont＋ＮＭ２Ｍ group〜Ｎcont＋ＮＭ２Ｍ group＋ＮＭ２Ｍ add−１)で表現される。上記ハンドオーバレージングコードが考慮されないと、定期初期アクセスレージングコードを除外した他のコードが全部Ｍ２ＭグループＧＤＣとＭ２Ｍ追加コードに割り当てられる。ＮＭ２Ｍ groupは(ＭＩＮ〜ＭＩＮ＋ＮＭ２Ｍ group−１)で表現されることができ、ＮＭ２Ｍ addは(ＭＩＮ＋ＮＭ２Ｍ group〜ＭＩＮ＋ＮＭ２Ｍ group＋ＮＭ２Ｍ add−１)で表現されることができる。
【００４５】
＜表２＞は、概略的なコード割り当て表である。一般任意アクセスのための初期レージングコード(ＭＩＮ)の数は(０〜ＭＩＮ−１)で表現され、ハンドオーバレージングコードの数は(ＭＩＮ〜ＭＩＮ＋ＮＨＯ−１)で表現される。ＮＭ２Ｍ addはＭ２Ｍ応用のために新しく追加された初期コードであり、これは(ＭＩＮ＋ＮＨＯ〜ＭＩＮ＋ＮＨＯ＋ＮＭ２Ｍ add−１)で表現され、多くとも３２個の追加レージングコードを含み、ＮＭ２Ｍ groupは各セクターによりＭ２Ｍグループに割り当てられたＧＤＣであり、これは(ＭＩＮ＋ＮＨＯ＋ＮＭ２Ｍ add〜ＭＩＮ＋ＮＨＯ＋ＮＭ２Ｍ add＋ＮＭ２Ｍ group−１)で表現され、多くとも３２個のＧＤＣを含んでいる。１６種類の構成は４ビット情報で表現されるので、＜表２＞に示された相異なる種類のコードの割り当ては、スーパーフレームヘッダの４ビットを利用して獲得されることができる。重複コードの数が、例えば３２コードで限定されている場合、ＧＤＣとＭ２Ｍ応用のために新しく追加された初期レージングコードは、コードを共有する必要がある。特定の割り当ては、＜表３＞に示されたコード割り当て表をいう。コードの数が限定された場合、ＧＤＣとＭ２Ｍ応用のために新しく追加された初期レージングコードは、コードを共有する必要があるが、上記共有比率は＜表３＞で制限される。
【００４６】
【表２】
0005960727.tif 000007
【００４７】
【表３】
0005960727.tif 000008
【００４８】
２．レージング機会が同期化されたＡＭＳに割り当てられると、上記初期レージングコードが拡張されることができ、 フィリング(filling)及び循環シフト機能を持つZadoff-Chuシーケンスが上記レージングコードとして取られることができ、次の＜数式５＞のように表現される。
【００４９】
【数５】
0005960727.tif 000009
【００５０】
ここで、Ｋ＝０、１、…、ＮＲＰ−１、ｎ＝０、１、２であり、ｐはレージングコードのシーケンス番号である。そしてｒｐは、次の＜数式６＞のように定義することができる。
【００５１】
【数６】
0005960727.tif 000010
【００５２】
ここで、ｐ＝０、１、２・・・Ｎcont−１、Ｎcont＋Ｎdedi、・・・、Ｎcont＋Ｎdedi＋ＮＭ２Ｍ group＋ＮＭ２Ｍ Add−１であり、sｐ＝mod(ｐ,Ｍｓ)である。
【００５３】
ホームＢＳの場合、Ｎcontは一般初期アクセスのためのレージングコードを示し、上記ハンドオーバコードと周期的レージングコードの和(Ｎdedi)は、割り当てられたレージングコードであり、ＮＭ２Ｍ groupは、Ｍ２Ｍグループに割り当てられたＧＤＣであり、ＮＭ２Ｍ AddはＭ２Ｍ応用のための追加コードである。２種類のコードの間に交点(intersection)はない。Ｎcontは各セクターで一般初期アクセスのためのレージングコードの個数(０〜ＭＩＮ−１)、ハンドオーバレージングコードの個数(ＭＩＮ〜ＭＩＮ＋ＮＨＯ−１)及び周期的レージングコードの個数(ＭＩＮ＋ＮＨＯ〜ＭＩＮ＋ＮＨＯ＋ＮＰＥ−１)の和である。Ｎdediは専用レージングコードであり、(Ｎcont〜Ｎcont＋Ｎdedi−１)で表現され、多くとも３２個のレージングコードを含み、ＮＭ２Ｍ addはＭ２Ｍ応用のために新しく追加されたコードであり、(Ｎcont＋Ｎdedi〜Ｎcont＋Ｎdedi＋ＮＭ２Ｍ add−１)で表現され、多くとも３２個のレージングコードを含む。ＮＭ２Ｍ groupは、各セクターによりＭ２Ｍグループに割り当てられたコードであり、(Ｎcont＋Ｎdedi＋ＮＭ２Ｍ add〜Ｎcont＋Ｎdedi+＋ＮＭ２Ｍ add＋ＮＭ２Ｍ group−１)で表現され、多くとも３２個のレージングコードを含む。Ｍ２Ｍ ＭＳは初期アクセスを遂行するためにＭＩＮ及びＮＭ２Ｍ addからＧＤＣレージングコードを無作為で選択することができる。上記専用レージングコードと定期コードは、相異なるリソースで送信されるので、上記専用レージングコードの割り当てが考慮されないこともあるが、一般任意アクセスのための初期レージングコード(ＭＩＮ)、ハンドオーバレージングコード(ＮＨＯ)及び周期的レージングコードだけが考慮される。ＮＭ２Ｍ addは、Ｍ２Ｍ応用のために新しく追加されたコードであり、(Ｎcont〜Ｎcont＋ＮＭ２Ｍ add−１)で表現され、多くとも３２個のレージングコードを含む。ＮＭ２Ｍ groupは各セクターによりＭ２Ｍグループに割り当てられるコードであり、(Ｎcont＋ＮＭ２Ｍ add〜Ｎcont＋ＮＭ２Ｍ add＋ＮＭ２Ｍ group−１)で表現され、多くとも３２個のレージングコードを含む。コード割り当て表は下記の
＜表４＞に示した。下記の＜表４＞は、概略的な例であり、サブセットまたは類推は実際応用でも利用されることができる。そして上記の方法は一例であるだけであり、レージングコードの割り当ては順に遂行されることができるが、Ｍ２ＭグループのＧＤＣを割り当て、Ｍ２Ｍ追加コードを割り当てる順序は重要でなく、Ｍ２Ｍ追加コードがまず割り当てられた後、Ｍ２ＭグループのＧＤＣが割り当てられることもできる。
【００５４】
【表４】
0005960727.tif 000011
【００５５】
無線ＭＡＮ−ＯＦＤＭＡ(Metropolitan Area Network-Orthogonal Frequency Division Multiple Access)システムと向上した無線ＭＡＮ−ＯＦＤＭＡシステムで、レージングＧＤＣ機会がＦＤＭ(Frequency Division Multiplex)リソースを多重化した場合に対して、レージングＧＤＣの数が２５６であり、各ＢＳがレージングＧＤＣの一つのグループを利用し、このグループのレージングＧＤＣの初期数がrns０とすると、ＢＳが利用できる順序(sequence)は、rns０と((ＭＩＮ＋ＮＨＯ＋ＮＰＥ＋Ｎdedi＋ＮＭ２Ｍ group＋ＮＭ２Ｍ add)mod２５６)の間である。ＭＩＮは初期レージングＧＤＣであり、ＮＨＯは初期ハンドオーバレージングＧＤＣであり、ＮＰＥは周期的レージングＧＤＣであり、Ｎdediは専用レージングＧＤＣであり、ＮＭ２Ｍ groupはグループレージングＧＤＣであり、ＮＭ２Ｍ addはＭ２Ｍ追加レージングＧＤＣである。
【００５６】
ＮＭ２Ｍ addに含まれたコードの数は、多くとも３２個であり、ＮＭ２Ｍ addはＰＲＢＳ(Pseudo Random Binary Sequence)発生器により１４４×((rns０＋ＭＩＮ＋ＮＨＯ＋ＮＰＥ＋Ｎdedi)mod２５６)から１４４×((rns０＋ＭＩＮ＋ＮＨＯ＋ＮＰＥ＋Ｎdedi＋ＮＭ２Ｍ add)mod２５６)−１へのシフティングを介して獲得される。 
【００５７】
ＮＭ２Ｍ groupに含まれたコードの数は多くとも３２個であり、ＮＭ２Ｍ groupはＰＲＢＳ発生器により１４４×((rns０＋ＭＩＮ＋ＮＨＯ＋ＮＰＥ＋Ｎdedi＋ＮＭ２Ｍ add)mod２５６)から１４４×((rns０＋ＭＩＮ＋ＮＨＯ＋ＮＰＥ＋Ｎdedi＋ＮＭ２Ｍ add＋ＮＭ２Ｍ group)mod２５６)−１へのシフティングを介して獲得される。
【００５８】
上記専用レージングコードと定期コードは、相異なるリソースを占めるので、上記専用レージングコードの割り当ては考慮されないこともあるが、初期レージングコード、ハンドオーバレージングコード及び周期的レージングコードは考慮される。ＮＭ２Ｍ addに含まれたコードの数は多くとも３２個であり、ＰＲＢＳ発生器により１４４×((rns０＋ＭＩＮ＋Ｎdedi)mod２５６)から１４４×((rns０＋ＭＩＮ＋Ｎdedi＋ＮＭ２Ｍ add)mod２５６)−１へのシフティングを介して獲得される。ＮＭ２Ｍ groupに含まれたコードの数は多くとも３２個であり、ＰＲＢＳ発生器により１４４×((rns０＋ＭＩＮ＋Ｎdedi＋ＮＭ２Ｍ add)mod２５６)から１４４×((rns０＋ＭＩＮ＋Ｎdedi＋ＮＭ２Ｍ add＋ＮＭ２Ｍ group)mod２５６)−１へのシフティングを介して獲得される。ＮＭ２Ｍ groupは各セクターによりＭ２Ｍグループに割り当てられたコードであり、これはＰＲＢＳ発生器により１４４×((rns０＋ＭＩＮ＋ＮＨＯ＋ＮＰＥ)mod２５６)から１４４×((rns０＋ＭＩＮ＋ＮＨＯ＋ＮＰＥ＋ＮＭ２Ｍ group)mod２５６)−１へのシフティングを介して獲得される。
【００５９】
ハンドオーバコードと周期的コードが考慮されない場合、定期初期レージングコードを除外した残りのコードの全てがＭ２Ｍグループと追加コードに割り当てられ、ＮＭ２Ｍ addはＰＲＢＳ発生器により１４４×((rns０＋ＭＩＮ)mod２５６)から１４４×((rns０＋ＭＩＮ＋ＮＭ２Ｍ add)mod２５６)−１へのシフティングを介して獲得されることができ、ＮＭ２Ｍ groupはＰＲＢＳ発生器により１４４×((rns０＋ＭＩＮ＋ＮＭ２Ｍ add)mod２５６)から１４４×((rns０＋ＭＩＮ＋ＮＭ２Ｍ group＋ＮＭ２Ｍ add)mod２５６)−１へのシフティングを介して獲得されることができる。下記の＜表５＞は、ＮＭ２Ｍ groupとＮＭ２Ｍ Addの割り当てを表示している。
【００６０】
【表５】
0005960727.tif 000012
【００６１】
Ｍ２Ｍ応用のためのコードが追加されたが、アクセスリソースを増加させるためには依然としてより多くのレージング機会が必要であるので、より多くのＭ２Ｍ ＭＳがネットワークにアクセスすることができる。したがって、本発明では新たな任意アクセス機会が定義される。各スーパーフレームは４個のフレームを含み、第１及び第２のフレームは各々定期初期アクセス機会と同期化されたアクセス機会に割り当てられるので、本発明では第３及び第４フレームのレージングリソースは、Ｍ２Ｍ追加初期アクセス機会として得られる。特定のアクセス機会割り当てが＜表６＞に示されている。  
【００６２】
下記の＜表６＞は、４種類の割り当て場合を示している。
【００６３】
場合１:Ｍ２Ｍに対する専用レージングチャンネルが一つのスーパーフレームの各フレームで割り当て／構成される場合である。
【００６４】
場合２:Ｍ２Ｍに対する専用レージングチャンネルが一つのスーパーフレームの第３のフレームで割り当て／構成されるが、正常／定期レージング機会とは衝突しない場合である。
【００６５】
場合３:Ｍ２Ｍのための専用レージングチャンネルが一つのスーパーフレームの第４フレームで割り当て／構成されるが、正常／定期レージング機会とは衝突しない場合である。
【００６６】
場合４:Ｍ２Ｍのための専用レージングチャンネルが一つのスーパーフレームの第３及び第４フレームで割り当て／構成されるが、正常／定期レージング機会とは衝突しない場合である。Ｍ２ＭグループＧＤＣとＭ２Ｍ追加コードは、一つの元来の定期初期アクセス機会、追加初期アクセス機会及び動的初期アクセス機会に送信されることもできる。
【００６７】
【表６】
0005960727.tif 000013
【００６８】
下記の＜表７＞は、Ｓ−ＳＦＨ ＳＰ１で放送されるＭ２ＭグループＧＤＣとＭ２Ｍ追加レージングコードを示しており、下記の＜表８Ａ＞及び＜表８Ｂ＞は、Ｍ２Ｍが送信した定期初期レージングコードと追加レージングコードを含む受信された初期レージングコードにＢＳがＡＡＩ−ＲＮＧ−ＡＣＫメッセージのＡＣＫメッセージを通じて応答することに対するサポートを示し、下記の＜表９＞は、ＡＡＩ−ＲＮＧ−ＡＣＫメッセージのＡＣＫメッセージを通じてＢＳがＭ２ＭグループＧＤＣに応答することに対するサポートを示す。
【００６９】
【表７】
0005960727.tif 000014
【００７０】
【表８Ａ】
0005960727.tif 000015
【表８Ｂ】
0005960727.tif 000016
【００７１】
【表９】
0005960727.tif 000017
【００７２】
さらに図２を参照すると、ステップ２０２で、グループのＭＳはＢＳが送信したメッセージによってグループのグループ代表を選択する。
【００７３】
上記グループ代表は、式(mod(グループメンバーＩＤ、k)or(mod(グループメンバーＩＤ、ｆ(ｋ、フレーム番号)))を計算することによって選択されることができるが、それに限定されない。ここで、ｋは正の整数であり、ＢＳにより決定されることができ、ｆ(ｋ、フレーム番号)はｋに関連した関数であり、フレーム番号、すなわちｆ(ｋ、フレーム番号)の値は、ｋ及び時間の両方とも関連する。上記グループ代表は、予め選択されることもできる。
【００７４】
また、上記グループ代表は、ステップ２０１以前に選択されることができ、図４に示したようにＭＳとＢＳにより共に選択されることができる。したがって、グループ代表が選択される時は、ＢＳとＭＳ間にシグナリング相互作用(interaction)がある。グループ代表を選択するには、三つのモード、すなわち先構成モード、ＭＳによるランダム選択モード及び(ネットワークが選択した)ＢＳとＭＳの協同(cooperation)モードがある。
【００７５】
ステップ２０３で、上記グループ代表はレージング機会のＢＳのグループＩＤに基づくＧＤＣを送信する。
【００７６】
ステップ２０３で、一例のレージング機会の選択は、次のように具現される。データフレームのみが一つのレージング機会を含むと、ＧＤＣはレージング機会に送信され、データフレームが複数のレージング機会を含むと、数式mod(floor(ＩＤＭ２Ｍ group、ＮＭ２Ｍ group)、ＮOpp)によって上記複数のレージング機会のうち一つのレージング機会が選択される。
【００７７】
ステップ２０４で、上記グループの各ＭＳは、ＢＳからＲＮＧ−ＡＣＫメッセージ及び／またはグループアクセスリソース割り当てメッセージを受信する。
【００７８】
一方、ＢＳはＧＤＣを受信した後、ＭＳにＲＮＧ−ＡＣＫメッセージ及び／またはグループアクセスリソース割り当てメッセージを送信し、上記メッセージは三つのタイプの情報を含む。第１のタイプの情報は、識別(identification)及び成功、すなわちグループの全ての、または部分のＭＳがネットワークにアクセスするように許可されたかを示す。第２のタイプの情報は、ＧＤＣがタイミング、周波数オフセット及び電力調整を訂正(correct)するために継続送信されるかを示し、上記グループ代表は、第２のタイプの情報を受信した場合、受信した情報によって調整を遂行しなければならなく、ステップ２０３を遂行する。第３のタイプの情報は、送信の中止または禁止、すなわちグループのネットワークアクセスを拒絶するかを示し、この時、タイマーはグループのＭＳに対して構成されることができ、グループのＭＳは、タイマーが終了する時にネットワークにアクセスすることができる。タイマーの持続時間は、新たな値で構成されることができ、グループタイマーと称することができる。上記値は、実際要件によって構成されることができ、ネットワークで中止のための従来のタイマーの持続期間とは異なることがある。上記の三つのタイプの情報は、個別的にまたは共に利用されることができる。例えば、第１のタイプの情報は、グループ内のグループメンバーの一部分に提供されることもでき、第３のタイプの情報は、グループ内のグループメンバーの他の部分に提供されることもできる。
【００７９】
また、ＢＳにより獲得されたＧＤＣがＢＳの要件を充足できない場合、ＢＳはＢＳが送信したメッセージに継続(continue)指示を含み、グループが継続ＧＤＣを送信するようにし、一般的には最後にＧＤＣを送信するグループ代表が継続ＧＤＣを送信するようにし、ＢＳが正しくＧＤＣを受信することができるように保障する。表１０はＢＳがグループのＭＳに送信したレージングＡＣＫシグナリングに追加されたグループレージングコードのＡＣＫ情報を示す。
【００８０】
上述したように、ＭＳがＢＳから継続または中止情報を受信する場合、選択されたグループ代表は変更されなく、成功情報を受信する場合、グループメンバーに戻る。
【００８１】
ＭＳ間に時間差があり、ＢＳが送信した情報を失わないようにするためには、グループメンバー及び／またはグループ代表は、予めＢＳから情報を受信する必要がある。
【００８２】
グループのＭＳは、相異なる応答で相異なるＡＣＫ情報に応答する。例えば、成功情報によって、ＭＳは図２に示したようにバックオフウィンドウの初期値及び終了値を獲得し、バックオフ処理を遂行した後、ネットワークにアクセスする。バックオフウィンドウの初期値及び終了値が本発明で定義される場合、多くの数のＭ２Ｍがネットワークにアクセスするときに発生する衝突及びアクセス遅延を減らすために、一般加入者より大きいウィンドウ空間が考慮される。中止情報は、グループの全ての、または特定の部分のＭＳが(中止タイマーによって)遅延以後にネットワークにアクセスすることを示す。継続情報は、Ｍ２Ｍグループのグループ代表がグループのＧＤＣを送信し続けるために、自身のタイミングまたは電力パラメータを調整することを示す。
【００８３】
【表１０】
0005960727.tif 000018
【００８４】
ステップ２０５で、ＢＳが送信し、グループに対するスーパーフレームヘッダに含まれたグループ受信バックオフ情報でネットワークアクセスが許可されたＭＳの各々または従来技術はバックオフ処理を遂行し、バックオフ処理後にレージング機会を選択し、ＩＲＣを無作為で選択してＢＳにＩＲＣを送信する。
【００８５】
ステップ２０６で、ＩＲＣを送信するＭＳは、ＢＳからＲＮＧ−ＡＣＫメッセージ及び／またはＣＤＭＡ割り当てＡ−ＭＡＰ ＩＥメッセージを受信し、該当ＲＮＧ−ＡＣＫメッセージ及び／またはＣＤＭＡ割り当てＡ−ＭＡＰ ＩＥメッセージは、検出されたＩＲＣに対するＢＳの応答を含む。
【００８６】
ステップ２０７で、ＭＳはレージング信号の成功ＡＣＫ情報を含むＲＮＧ−ＡＣＫメッセージを受信する、及び／または、該当ＣＤＭＡ割り当てＡ−ＭＡＰ ＩＥメッセージを受信する、及び／または、該当グループアクセスリソース割り当てメッセージを受信した後、ＭＳのＩＤを含む情報をＢＳに知らせるためにＲＮＧ−ＲＥＱメッセージをＢＳに送信し、ネットワークに継続アクセスする。
【００８７】
図３は、本発明の第２の実施形態による移動通信システムで、ＭＳがネットワークにアクセスするためのＭＳとＢＳ間の動作を示す。ここで、図示しないが、ＭＳとＢＳ各々は、少なくとも送信部、受信部及び制御部を含み、送信部及び受信部、は該当メッセージを送受信し、制御部は、本発明の第２の実施形態による全ての動作を制御する。
【００８８】
図３を参照すると、ステップ３０１で、グループのＭＳはＢＳが送信したメッセージによってグループのＧＤＣと該当リソースを決定する。
【００８９】
ステップ３０２で、グループのＭＳはＢＳが送信したメッセージに従ってグループのグループ代表を決定する。この時、ステップ３０２は、ステップ３０１以前に遂行されることができ、グループ代表を決定することは、図２のステップ２０１と同一であるので、詳細な説明は省略する。
【００９０】
ステップ３０３で、グループ代表は、レージング機会にグループのＧＤＣをＢＳに送信する。
【００９１】
ステップ３０４で、グループの各ＭＳは、ＢＳからＲＮＧ−ＡＣＫメッセージ及び／またはグループアクセスリソース割り当てメッセージを受信する。
【００９２】
ステップ３０５で、グループでネットワークにアクセスするように許可されたＭＳは、レージング機会にＭＳに予め割り当てられたＩＲＣをＢＳに送信する。上記レージング機会は、ＭＳに予め割り当てられることができる。
【００９３】
望ましくは、ステップ３０５で、グループでネットワークにアクセスするように許可された各ＭＳは、レージング機会及びＩＲＣで予め構成され、グループでネットワークにアクセスするように許可されたＭＳがネットワークにアクセスするときに発生する衝突を減らすか、除去し、さらにはＭＳがネットワークに成功的にアクセスするようにする。
【００９４】
ステップ３０６で、ＩＲＣを送信したＭＳは、ＢＳからＲＮＧ−ＡＣＫメッセージ及び／またはＣＤＭＡ割り当てＡ−ＭＡＰ ＩＥメッセージを受信し、ここで、ＲＮＧ−ＡＣＫメッセージ及び／またはＣＤＭＡ割り当てＡ−ＭＡＰ ＩＥメッセージは、検出されたＩＲＣに対するＢＳの応答を含む。
【００９５】
ステップ３０７で、ＭＳはレージング信号の成功ＡＣＫ情報を含むＲＮＧ−ＡＣＫメッセージを受信する、及び／または、該当ＣＤＭＡ割り当てＡ−ＭＡＰ ＩＥメッセージを受信する、及び／または、グループアクセスリソース割り当てメッセージを受信した後、ＭＳのＩＤを含む情報をＢＳに知らせるためにＲＮＧ−ＲＥＱメッセージをＢＳに送信し、ネットワークに継続アクセスする。
【００９６】
上述した第１の実施形態と第２の実施形態とはステップ２０５とステップ３０５に差異がある。
【００９７】
ステップ２０１とステップ２０２の順序は、この二つの段階がステップ２０３以前に遂行される限り変えることもできる。ある場合においては、二つの段階を予め遂行する時間は制限されない。同様に、ステップ３０１及びステップ３０２は、ステップ２０１及びステップ２０２と似ている。
【００９８】
ステップ２０５及びステップ２０６とステップ３０５及びステップ３０６は、省略される場合がある。ステップ２０１及び／またはステップ２０２、そしてステップ３０１及び／またはステップ３０２は、第３の実施形態によって具現されることができる。
【００９９】
図４は、本発明の実施形態で、ＭＳとＢＳ間の通信を通じてグループ代表を選択する方法を示した図である。
【０１００】
図４を参照すると、ステップ４０１で、グループのＭＳはＢＳが送信したメッセージを受信し、ＭＳが属したグループ及びグループの構成の情報を決定するが、上記情報はグループＩＤ、ＧＤＣ及び対応するリソース(例:対応するレージング機会)、フレーム番号、グループＩＤ及びページンググループＩＤのうち、少なくとも一つを含む。
【０１０１】
ステップ４０２で、グループのＭＳはＢＳが送信したメッセージに従ってグループのグループ代表を決定する。ＢＳが送信したメッセージは、ｋ(ステップ２０２参照)、グループ代表を選択するための時間パラメータ、例えばフレーム番号またはスーパーフレーム番号(ステップ２０２の“(mod(group member ID、f(k、frame number)”参照)及びグループ内のＭＳの数のうち少なくとも一つを含む。
【０１０２】
ステップ４０３で、グループ代表になるＭＳは、ＭＳがグループ代表になることをＢＳに知らせるためにＢＳにメッセージを送信する。
【０１０３】
ステップ４０４で、ＢＳはグループのＭＳにメッセージを送信し、グループ代表になるＭＳに応答する。上記応答はグループ代表またはグループに送信されてもよい。
【０１０４】
一方、本発明の実施形態で、ＩＲＣは従来システムのＩＲＣでもあり、グループのＭＳに特別に割り当てられたＩＲＣであり得る。そして本発明の実施形態でＩＲＣは従来システムでレージング機会に送信されてもよく、グループのＭＳに特別に割り当てられたレージング機会に送信されてもよい。また、従来システムでレージング機会で、従来システムのＩＲＣとグループのＭＳに特別に割り当てられたＩＲＣが送信されてもよい。
【０１０５】
また、本発明の実施形態で、Ｍ２Ｍグループ及びレージング機会は一例であり、上記方法は実際応用で他のグループ及び機会に適用されることもできる。
【０１０６】
要約すれば、本発明の実施形態により提供されるＭＳのネットワークアクセス方法で、多くの数のＭＳはグループで分割され、各グループのグループ代表は、一つまたはその以上のＧＤＣを通じてＢＳにネットワークにアクセスするように要請することができ、ネットワークにアクセスするように許可するメッセージを受信した後、このグループのＭＳはネットワークにアクセスするためにＢＳにＩＲＣ要請を送信するか、ＲＮＧ−ＲＥＱメッセージを直接送信する。本発明の実施形態で、ＭＳはグループで分割されるので、アクセスコードを送信するＭＳの数は相対的に減少され、したがってＭＳがネットワークにアクセスするときに発生する衝突が減少されることができる。
【０１０７】
また、本発明の実施形態では、グループでネットワークにアクセスするように許可されたＭＳは、相異なるＩＲＣで構成されることができるので、ＭＳは相異なるＩＲＣでネットワークにアクセスすることを要請してＭＳがネットワークにアクセスするときに発生する衝突を減少させることができる。
【０１０８】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【０１０９】
ＭＳ…      Ｍｏｂｉｌｅ  Ｓｔａｔｉｏｎ
ＢＳ…      Ｂａｓｅ  Ｓｔａｔｉｏｎ 
【図１】
0005960727.tif 000019
【図２】
0005960727.tif 000020
【図３】
0005960727.tif 000021
【図４】
0005960727.tif 000022